(57)【要約】【課題】ファクシミリ装置において、電話をかける場合等送信終了後の次のアクションについての利便性を向上させる。【解決手段】原稿の画像情報を読取部１０にて読み取り、読み取った画像情報を画像メモリ６に記憶させ、操作部１と、表示・通知部２と、ファクシミリ送受信を制御する通信制御部７とを有するファクシミリ装置において、システム制御部３により、操作部１から入力される電話帳情報を登録して管理するとともに、管理されている電話帳情報のうち、ファクシミリ送信で用いたファクシミリ番号に対応する電話帳情報を表示・通知部２に表示させる。【選択図】　　　　図１
2004048425.tif 000002
【特許請求の範囲】
【請求項１】
原稿の画像情報を読み取る画像情報読取手段と、該手段によって読み取った画像情報を記憶する画像情報記憶手段と、所定の入力装置を備えた操作入力手段と、所定の表示装置を備えた表示手段と、画像情報のファクシミリ送受信を制御する通信制御手段とを有するファクシミリ装置において、
前記操作入力手段により入力される電話帳情報を登録して管理する電話帳情報管理手段と、
該手段により管理されている電話帳情報のうち、ファクシミリ送信で用いたファクシミリ番号に対応する電話帳情報を前記表示手段に表示させる電話帳情報表示手段とを設けたことを特徴とするファクシミリ装置。
【請求項２】
請求項１記載のファクシミリ装置において、
音声を送受信する手段を有する電話手段と、
前記通信制御手段又は前記電話手段と一般公衆網との接続を切替える手段とを設けたことを特徴とするファクシミリ装置。
【請求項３】
請求項２記載のファクシミリ装置において、
ファクシミリ送信で使用するファクシミリ番号を選択番号として記憶する手段と、
該手段に選択番号として記憶されているファクシミリ番号を、前記電話手段による音声の送受信で用いる電話番号に置き換える手段とを設けたことを特徴とするファクシミリ装置。
【請求項４】
請求項２記載のファクシミリ装置において、
前記電話手段のフック状態を検出する手段と、
該手段がオフフックを検出し、かつ一般公衆網への接続が前記電話手段に切替えられているときに、前記表示手段に表示されている電話帳情報の電話番号を用いて前記電話手段を発呼させる手段を設けたことを特徴とするファクシミリ装置。
【発明の詳細な説明】
【０００１】
【発明の属する技術分野】
この発明は、ファクシミリ送信後に便利に使用するための機能を搭載したファクシミリ装置に関する。
【０００２】
【従来の技術】
近年、パーソナルコンピュータが一般家庭へ普及するとともに、多機能化に伴い携帯電話機がメール送受信機能を持つなど、インターネットを利用するための通信インフラが整備されつつある。また、インターネットに低料金で接続できる環境が整備されることに伴って利用料金が安価になりつつあるため、インターネットを情報伝達手段として活用する機会が格段に増えてきている。こうした背景のもと、ファクシミリ装置は身近なＯＡ機器として広く普及しているものの、ファクシミリ装置を使用した従来の通信環境下での情報伝達は、減りつつあるのが事実である。
【０００３】
【発明が解決しようとする課題】
しかしながら、ファクシミリ装置は、イメージ情報を確実に送信でき、電子メールのようにサーバによる遅延が無く、インターネットと比較して情報が盗まれる秘密漏洩等セキュリティ面での危険性が低いことから、イメージ情報を確実かつ安全に送信したい場合等には、ファクシミリ装置が用いられることが多い。ファクシミリ装置のこのような用い方からすると、電話をかける場合等ファクシミリ送信終了後の次のアクションについての利便性を向上させることが望ましい。
【０００４】
この発明は、上記の問題点を解決するためになされたものであり、ファクシミリ装置において、電話をかける場合等送信終了後の次のアクションについての利便性を向上させることを目的とする。
【０００５】
【課題を解決するための手段】
この発明は上記の目的を達成するため、原稿の画像情報を読み取る画像情報読取手段と、その手段によって読み取った画像情報を記憶する画像情報記憶手段と、所定の入力装置を備えた操作入力手段と、所定の表示装置を備えた表示手段と、画像情報のファクシミリ送受信を制御する通信制御手段とを有するファクシミリ装置において、上記操作入力手段により入力される電話帳情報を登録して管理する電話帳情報管理手段と、その手段により管理されている電話帳情報のうち、ファクシミリ送信で用いたファクシミリ番号に対応する電話帳情報を上記表示手段に表示させる電話帳情報表示手段とを設けたことを特徴とする。
このファクシミリ装置は、音声を送受信する手段を有する電話手段と、上記通信制御手段又は上記電話手段と一般公衆網との接続を切替える手段とを設けるとよい。
【０００６】
また、ファクシミリ送信で使用するファクシミリ番号を選択番号として記憶する手段と、その手段に選択番号として記憶されているファクシミリ番号を、上記電話手段による音声の送受信で用いる電話番号に置き換える手段とを設けてもよい。
電話手段のフック状態を検出する手段と、その手段がオフフックを検出し、かつ一般公衆網への接続が上記電話手段に切替えられているときに、上記表示手段に表示されている電話帳情報の電話番号を用いて上記電話手段を発呼させる手段を設けるとよい。
【０００７】
【発明の実施の形態】
以下、図面を参照して、この発明の実施の形態について説明する。
図１はこの発明によるファクシミリ装置の一実施の形態の主要な構成を示すブロック図である。
このファクシミリ装置は、図１に示すように、操作部１と、表示・通知部２と、システム制御部３と、画像処理部５と、画像メモリ６とを有し、さらに通信制御部７と、ＮＣＵ部８と、書込部９と、読取部１０と、電話機能部１１とを有して構成され、ＮＣＵ部８及び電話機能部１１を除いて各構成要素が互いにシステムバス４を介して接続されている。
【０００８】
操作部１は、図２に示すように、所定のテンキー及び文字入力キーを備えたメカニカルキーやタッチパネルキーなどからなる操作キー１ａを有し、システムバス４を介してシステム制御部３とのデータのやり取りを行う操作入力手段であって、画像情報のファクシミリ送信に必要な操作（例えば、相手先ファクシミリ番号の入力やスタート／ストップなど）や送受信の状況確認等、ファクシミリ装置の使用に必要な情報を操作キー１ａの操作入力により入力してシステム制御部３に入力する。操作キー１ａは、ファクシミリ送信時にファクシミリ番号を入力するテンキーと、ファクシミリ送信時の一連の操作にて使用するスタートキー、ストップキー、リダイヤルキー、ワンタッチキーと、短縮番号を選択するための短縮キーなどがある。また、後述する電話帳情報を登録するときに使用するキーとして、アルファベットキー、カナキー、漢字変換キーなどが設けられている。なお、キー数削減のため、１つの物理的キーに複数の意味を持たせてもよい。
【０００９】
表示・通知部２は、ＬＥＤ表示装置と、操作部１より操作入力される情報や現在の動作状態及び時刻等を表示する液晶ディスプレイ（ＬＣＤ）等の表示装置と、ブザー等の鳴動装置とを有する表示手段であって、システム制御部３から指示を入力してＬＥＤ表示装置を点灯させるなどして各装置を作動させる。その表示装置は図３及び図４に示すような表示パネル２ａと、後述する電話帳キー２ｂと電話モード切替キー２ｃとを有している。なお、ＬＣＤは、キャラクタ表示タイプの他、ドットマトリクスタイプを用いることもでき、また操作機能も合わせたタッチパネル式表示部を用いることもできる。
【００１０】
システム制御部３は、ファクシミリ装置全体の動作を制御するＣＰＵ（ＣｅｎｔｒａｌＰｒｏｃｅｓｓｉｎｇ　Ｕｎｉｔ：中央処理装置）と、ＲＯＭ（Ｒｅａｄ　Ｏｎｌｙ　Ｍｅｍｏｒｙ）及びＲＡＭ（Ｒａｎｄｏｍ　Ａｃｃｅｓｓ　Ｍｅｍｏｒｙ）等を有するユニットであって、そのＲＯＭに記憶されているプログラムにしたがって処理を実行し、操作部１をはじめとする各構成部を制御する。ＲＯＭにはファクシミリ装置の基本プログラム及びこの発明の特徴とする機能を実現させるためのプログラムが格納されている。そのプログラムが膨大な場合は、ＲＯＭのほか図示しない磁気ディスク装置等を搭載してそこに格納してもよく、画像メモリ６に磁気ディスク装置を用い、その画像メモリ６と共通化してもよい。システム制御部３は、通信制御部７を制御し、時計機能及び画像メモリ６に蓄積するメッセージデータを管理するファイル管理機能も有している。
【００１１】
電源が切れた場合でも保持する必要があるファクシミリ送信の短縮番号、ワンタッチファクシミリ番号、電話帳情報等の情報は、電源が切れた場合でも情報を保持できるバッテリーバックアップメモリや不揮発性メモリに保存されている。バッテリーバックアップに使用するバッテリーとしては、リチウム１次電池や充電が可能なリチウム２次電池、ニッカド２次電池等を用いて電源遮断時にもＲＡＭへの電源供給を行えるようにして情報を保持している。ＲＯＭはキャラクタ情報等フォントデータを格納する領域を有するが、これはプログラムを格納するＲＯＭと同一のＲＯＭにて構成することも可能である。
【００１２】
システムバス４は、ファクシミリ装置の各構成要素を結び、システムを連結するバスである。
画像処理部５は、符号化された生データの圧縮、圧縮されたデータを伸張して元の画像情報を復元する処理及び変倍処理や生データにてデータ加工を行い、ＴＴＩの埋込みも行う。なお、画像処理部５はシステムバス４に接続して１つのブロックとして構成しているが、通信制御部７と、書込部９と、読取部１０とにそれぞれ独立して設ける構成にしても良い。
【００１３】
画像メモリ６は、原稿を読み取って送信するための画像情報や受信した画像情報を記憶する画像情報記憶手段であって、画像情報を少なくとも一時的に記憶できるようになっていて、複数の受信メッセージデータと送信メッセージデータをファイルとして蓄積する。画像メモリ６には、例えば磁気ディスク装置が利用されるが、そのほか、基板に実装されるＲＡＭモジュールや、カードスロットに挿入されるメモリカードなどでもよい。
通信制御部７は、システム制御部３の指示を受けてＮＣＵ（Ｎｅｔｗｏｒｋ　Ｃｏｎｔｒｏｌ　Ｕｎｉｔ）部８を制御し、加入電話回線ＰＳＴＮ網と接続して相手側通信端末とのファクシミリ送受信での通信を制御する。また、通信制御部７は、内蔵モデムにより相手側通信端末からの受信データ（変調されている）を復調し、送信データを変調する。さらに、ＮＣＵ部８にて検出されたリンギング電圧のパルスの検出や、ＤＴＭＦ信号の検出とともにトーン信号を検出し、送信時の発呼を行う。
【００１４】
ＮＣＵ部８は、一般公衆網（ＰＳＴＮ）の接続及び回線の閉結を管理し、呼び出し信号（リンギング）を検出する。また、電話機能部１１を接続する接続部を有し、その電話機能部１１のフック状態を検出する検出部と、電話機能部１１を一般公衆網に接続させるための接続切替部とを有している。
書込部９は、受信した画像情報や受信結果を表す画像情報（例えば、送信元の電話番号、受信時刻などの情報）を入力して用紙に画像を形成し、印刷するための機構を備えたユニットからなる書込手段である。この書込部９は、たとえば、サーマル素子を利用したサーマル記録装置が使用されるが、サーマル記録装置に限定されるものではなく、電子写真方式、インクジェット方式、トナージェット方式など、用紙に画像イメージを記録できるもので良い。書込部９は、ページメモリを有し、システム制御部３にて書込みが指定された画像メモリ６の画像ファイルをページ毎そのページメモリに蓄積して書込みするため順次転送する。そして、そのページメモリに蓄積された生データを受け取り、感熱記録素子に直接あるいはインクシートを介して間接的に普通記録紙に画像を記録する。なお、書込部９は、伸張処理を行う画像処理機能を付加してもよい。その場合、入力データは圧縮データとなり、ここで伸張して生データとされ印刷出力することができる。
【００１５】
読取部１０は、用紙に文字や図形が記載された原稿の画像をイメージセンサで読み取り電気信号に変換し、画像情報を入力する画像情報読取手段であって、スキャナ部ともいわれる。例えば、ＣＣＤ（Ｃｈａｒｇｅ　Ｃｏｕｐｌｅｄ　Ｄｅｖｉｃｅ）を利用したイメージスキャナである。読取部１０は、読み取られたイメージデータを２値化して生データとし、原稿読取時の、縮小、拡大等の変倍処理、線密度変換等も行う。
電話機能部１１は送話部と受話部とを有し、ＮＣＵ部８の指示を受けてそのＮＣＵ部８を介して一般公衆網に接続され、音声の送受信を実行する。
次に、以上のような構成を有するファクシミリ装置の機能について、図１のブロック図とともに、図５以降に示したフローチャートを参照して具体的に説明する。なお、図２以降に示したフローチャートにおいて、ステップをＳと略記している。
【００１６】
図１に示したファクシミリ装置は、システム制御部３がＲＯＭに記憶されている所定の処理プログラムを読込み、図５に示すフローチャートに沿って通信制御部７及びＮＣＵ部８などの各構成要素を作動させることによって、後述する各機能を実現する。図５は、操作者がファクシミリ送信を行い、その送信後に電話帳情報を表示させる際の動作手順を示すフローチャートである。
図１に示したファクシミリ装置は、電話帳機能を有している点を特徴としている。この電話帳機能は、電話連絡をする際に必要とされる宛先名、ファクシミリ番号、電話番号、住所、メモなどの情報（この情報を「電話帳情報」という）をファクシミリ送信終了後にファクシミリ送信を行った旨の電話連絡をする必要が生じることを想定して、予め操作部１を操作して入力し、システム制御部３により管理する機能（電話帳情報管理機能）と、管理されている電話帳情報のうちファクシミリ送信で用いたファクシミリ番号に対応するものを表示・通知部２に表示させる機能（電話帳情報表示機能）とからなっていて、いずれもシステム制御部３のＣＰＵがＲＯＭに記憶されているプログラムにしたがい処理を実行することにより実現される。
【００１７】
電話帳情報を入力するときは、操作者が操作部１に設けられた操作キー１ａのテンキー、アルファベットキー、カナキーを操作し、漢字変換キーを用いた漢字変換機能によりローマ字入力、カナ入力されたものを漢字変換し、システム制御部３のＲＡＭに記憶して保持させることによって行う。そして、電話帳情報管理機能により管理されている電話帳情報は、電話帳情報表示機能により、ファクシミリ送信する際にワンタッチダイヤルや短縮ダイヤルが選択された場合に、その選択されたダイヤルのファクシミリ番号（以下「選択番号」という）に対応するものが表示パネル２ａに表示される。また、電話帳情報は、相手先のファクシミリ番号がテンキーにて入力されても、その番号と一致する情報が保持されている場合に表示・通知部２に表示される。なお、電話帳情報は、電話帳キー２ｂを押下等してからの操作部１の特定の操作入力により、表示・通知部２に表示されるようにしてもよい。もちろん、電話帳情報を表示パネル２ａに表示させてから、ワンタッチ・短縮ダイヤルの操作入力も可能である。
【００１８】
電話帳情報が電話帳情報表示機能により表示パネル２ａに表示される場合、表示パネル２ａには、図３に示すように、「短縮番号」、「宛先名称」、「ＦＡＸ番号」、「電話番号」、「住所」、「メモ」の各項目に保持されている情報が表示され、或いは図４に示すように、「ワンタッチ」、「宛先名称」、「ＦＡＸ番号」、「電話番号」、「住所」、「メモ」の各項目に保持されている情報が表示される。
そして、ファクシミリ送信を行う場合、まず、操作者が図示しないメニュー画面において「送信処理」を選択すると、ファクシミリ装置は、図５のフローチャートにおいてシステム制御部３が処理をステップ１に進め、表示パネル２ａに所定のメッセージを表示させる。操作者がそのメッセージにしたがい相手先ファクシミリ番号を操作部１より入力若しくはワンタッチダイヤルや短縮ダイヤルを操作して入力する。次に、操作者は送信原稿をセットしてスタートキーを押下し、ファクシミリ送信の指示を入力する（なお、送信原稿のセットはファクシミリ番号の入力前でもよい）。これを受けてファクシミリ装置はステップ２に進み、入力されたファクシミリ番号若しくはワンタッチキーや短縮ダイヤルの選択番号により、システム制御部３が通信制御部７に対してファクシミリ送信の指示を行う。
【００１９】
すると、通信制御部７は指示されたファクシミリ番号を用いてＮＣＵ部８を制御し、一般公衆網に対してダイヤルしてその送信相手との通信を確立し、ファクシミリ通信を行う。ここでのファクシミリ伝送制御手順は、ＩＴＵ−Ｔの勧告にそった形で通信制御部７にて行われる。続くステップ３ではファクシミリ送信終了後に通信制御部７がファクシミリ送信の終了をシステム制御部３に通知する。すると、ステップ４に進みシステム制御部３が電話帳情報管理機能にて管理している電話帳情報を読み出して、ファクシミリ送信で用いた選択番号に対応した電話帳情報を表示・通知部２に入力し、続いてその電話帳情報を電話帳情報表示機能により表示パネル２ａに表示させる。
【００２０】
続くステップ５では、システム制御部３が電話帳情報を表示・通知部２に表示している時間（表示時間）を計測し、予め設定した時間経過があった場合はステップ６に進んで表示パネル２ａを初期状態に戻す（表示クリア）ように表示・通知部２に指示してその後処理を終了する。この場合、操作部１にて特定のキー操作（例えば、クリアキーやストップキーの押下）があった場合、そのキー操作情報をシステム制御部３に通知して、システム制御部３が操作されたキー情報を解析し、表示パネル２ａの表示を初期状態に戻す必要のある場合は、初期状態に表示を戻す指示を表示・通知部２に行い、これにより、表示パネル２ａを初期状態に戻すようにしてもよい。
以上のように、この発明によるファクシミリ装置によれば、ファクシミリ送信終了後にそのファクシミリ送信で用いたファクシミリ番号に対応する電話帳情報が自動的に表示されるため、操作者はその表示を参照することによって電話帳情報を得ることができる。したがって、ファクシミリ送信終了後にファクシミリ送信をした旨の電話連絡を行う際に電話番号の検索等、電話連絡が必要な場合の手間乃至操作が簡略化されて容易になり、ファクシミリ送信終了後の次のアクションについての利便性が向上する。
【００２１】
しかしながら、電話帳情報が上述のようにして、ファクシミリ装置に表示されても、そのファクシミリ装置と電話機とが離れた場所に設置されていると表示されている電話帳情報を電話をかける際に見ることができないおそれがあり、電話帳情報を利用して電話をかけることができない可能性がある。その場合を想定してファクシミリ装置は、電話機能部１１を設けるとともに電話／ファクシミリ切替機能により接続を切替えて、その電話機能部１１を作動させることにより、電話がかけられるようになっている。
ファクシミリ装置の電話／ファクシミリ切替機能は、操作部１のキー操作（電話モード切替キー２ｃの押下）により、操作部１がそのキー操作情報をシステム制御部３に通知して行われる。システム制御部３は操作入力されたキー情報を解析して、通信制御部７に対し電話機能部１１を一般公衆網に切替えるための指示を行う。通信制御部７はシステム制御部３からの指示に基づいて、ＮＣＵ部８を作動させ、その接続切替部により電話機能部１１が一般公衆網に接続されるように接続を切替える。
【００２２】
こうして、接続が切替えられた場合、通信制御部７はＮＣＵ部８を制御してその検出部を作動させ、電話機能部１１のフック状態を検出する。ここで、オンフックとなった場合は電話機能部１１を使用して電話をかける通話が終了したと判断し、切替えた電話機能部１１と一般公衆網との接続を元に戻す（ファクシミリ送信側に接続する）制御を行い、それに続き電話機能部１１の使用が終了したことを示す情報をシステム制御部３に入力する。以上のようにすることにより、ファクシミリ装置により電話がかけられるようになるから、ファクシミリ装置から離れることなく、ファクシミリ送信終了後の電話をかけることができるようになり、ファクシミリ装置と電話機とが離れた場所に設置されている場合でも、ファクシミリ送信終了後の次のアクションについての利便性が向上する。
【００２３】
ところが、ファクシミリ装置が電話／ファクシミリ切替機能を搭載していても表示パネル２ａには電話番号が表示されるだけであり、操作者が電話をかけるには、ファクシミリ送信終了後に表示された電話帳情報から電話番号を見つけ出して入力しなければならず、手間を要すると考えられる。その場合を想定し、ファクシミリ装置は図６に示すフローチャートに従い作動する。この図６に示すフローチャートの動作は、上述の動作と共通するところがあるので、共通する部分の説明は省略し、相違点を中心に説明する。
操作者がメニュー画面の送信処理を選択して、ステップ１からステップ４までを図６と同様に実行して、ファクシミリ送信終了後にファクシミリ送信で用いたファクシミリ番号に対応した電話帳情報を表示・通知部２に表示する。
【００２４】
その一方、システム制御部３は、表示・通知部２に電話帳情報が表示されている状態を管理していて、この状態にて、操作者が電話機をオフフックした際ＮＣＵ部８がその検出部によりオフフック状態を検出し、検出結果となる検出情報を出力する。この検出情報は、システム制御部３に入力され、システム制御部３はその検出情報を元に通信制御部７に対して接続を電話モードに切替える指示を行い、通信制御部７はＮＣＵ部８に指示して電話機能部１１を一般公衆網に接続して電話がかけられるようにする電話モードへの切替えを行う。ここで、システム制御部３が処理をステップ７に進めて電話機能部１１のオフフック及び電話モードへの切替えがともに行われたか否かを判断し、ともに行われていればステップ８に進み、そうでなければステップ１１に進む。
【００２５】
ステップ８に進むと、電話モードに切替わった状態にて、操作者がファクシミリ番号と同じワンタッチダイヤル若しくは短縮ダイヤルを選択して入力する。続くステップ９では、操作部１からその選択をする際の操作情報がシステム制御部３に入力され、システム制御部３は選択番号として記憶されているファクシミリ番号を電話帳情報をもとにして音声の送受信で用いる電話番号に置き換える指示を通信制御部７に入力して、通信制御部７がその置き換えられた電話番号を用いてダイヤルして発呼し、一般公衆網に接続することでファクシミリ装置により電話をかけることができる。その後ステップ１０に進み、通信制御部７がＮＣＵ部８に指示してその検出部により電話機能部１１のオンフック状態を検出すると、切替えた電話機能部１１と一般公衆網との接続を元に戻す制御を行い、電話機能部１１の使用が終了したことを示す情報をシステム制御部３に入力して処理を終了する。
【００２６】
一方、ステップ１１に進む場合、すなわち、電話機能部１１のオフフックが無い場合、システム制御部３が電話帳情報の表示パネル２ａへの表示時間を計測していて、その計測時間が予め設定した時間を経過すると、表示・通知部２に指示してその表示を初期状態に戻す（クリアさせる）ための指示を行い、表示・通知部２の表示を初期状態に戻す。或いは操作部１にて特定のキー操作（例えば、クリアキー押下やストップキー押下）があった場合、操作部１からそのキー操作情報がシステム制御部３に入力され、システム制御部３がその操作入力されたキー情報を解析して、表示を初期状態に戻す必要がある場合、表示・通知部２に対して表示を初期状態に戻す指示を行い、表示・通知部２は表示を初期状態に戻す。この表示・通知部２により初期状態に戻す操作が行われると処理が終了し、行われない場合はステップ７に処理が戻る。
以上のように、ファクシミリ装置は、操作者が電話帳情報から電話番号を見つけ出して入力することなく、ファクシミリ送信終了後に電話をかけることができるので、ファクシミリ送信終了後の次のアクションについての利便性が一層向上する。
【００２７】
ファクシミリ装置は、上述の図６に示すフローチャートに代わり、図７に示すフローチャートに従い作動させてもよい。この図７に示すフローチャートの動作は、上述の図６に示すフローチャートによる動作と共通するところがあるので、共通する部分の説明は省略し、相違点を中心に説明する。
操作者がメニュー画面の送信処理を選択して、ステップ１からステップ４までを図６と同様に実行してファクシミリ送信終了後にファクシミリ送信で用いたファクシミリ番号に対応する電話帳情報を表示・通知部２に表示する。その後、さらにステップ１２を実行する。ここでは、システム制御部３が表示・通知部２に電話帳情報が表示されている状態を管理していて、この状態にて、操作者が電話機能部１１をオフフックした際にそのオフフック状態をＮＣＵ部８の検出部により検出し、その検出結果となる検出情報を出力する。この検出情報がシステム制御部３に入力されると、システム制御部３はその検出情報を元に通信制御部７に対して接続を電話モードに切替える指示を行い、通信制御部７はＮＣＵ部８に対して電話機能部１１を一般公衆網に接続して電話がかけられるようにする電話モードへの切替えを行う。ここで、システム制御部３が電話機のオフフック及び電話モードへの切替えがともに行われたか否かを判断し、ともに行われていればステップ１３に進み、そうでなければステップ１１に進む。
【００２８】
ステップ１３に進むと、電話モードに切替わった状態にて、システム制御部３が表示パネル２ａに表示されている電話帳情報の電話番号を用いてダイヤルするように通信制御部７に指示を行い、通信制御部７はその電話番号を用いてダイヤルして発呼するように電話機能部１１を作動させて電話機能部１１を一般公衆網に接続し、こうしてファクシミリ装置により電話をかけることができる。そして、ステップ１０に進み、通信制御部７が図６の場合と同様にしてオンフックを検出すると、切替えた電話機能部１１と一般公衆網側との接続を元に戻す制御を行い、電話機能部１１の使用が終了した情報をシステム制御部３に入力して処理を終了する。また、ステップ１２から分岐してステップ１１に進む場合は図６の場合と同様にして表示・通知部２が表示を初期状態に戻す操作を行い、その操作が行われると処理が終了し、行われない場合はステップ１２に処理が戻る。
以上のようにしても、ファクシミリ装置は、電話番号の選択番号を操作者が入力することなく、ファクシミリ送信終了後に電話をかけることができるので、ファクシミリ送信終了後の次のアクションについての利便性が一層向上する
【００２９】
【発明の効果】
以上説明してきたように、この発明によるファクシミリ装置は、送信終了後にその送信で使用した電話帳情報が表示されるため、送信終了後電話をかけるための操作が容易になり、ファクシミリ送信終了後の次のアクションの利便性が向上する。
【図面の簡単な説明】
【図１】この発明によるファクシミリ装置の一実施の形態の主要な構成を示すブロック図である。
【図２】操作部の操作キーと表示・通知部の表示パネルの一例を示す平面図である。
【図３】電話帳情報を表示した表示パネルの一例を示す平面図である。
【図４】電話帳情報を表示した表示パネルの他例を示す平面図である。
【図５】操作者がファクシミリ送信を行い、その送信後に電話帳情報を表示させる際の動作手順を示すフローチャートである。
【図６】電話帳情報の表示後にファクシミリ番号を電話番号に置き換えて電話機能部を作動させる際の動作手順を示すフローチャートである。
【図７】電話帳情報の表示後にその表示されている電話帳情報の電話番号を用いて電話機能部を作動させる際の動作手順を示すフローチャートである。
【符号の説明】
１：操作部　　　　　　　　　　２：表示・通知部
１ａ：操作キー　　　　　　　　２ａ：表示パネル
３：システム制御部　　　　　　４：システムバス
５：画像処理部　　　　　　　　６：画像メモリ
７：通信制御部　　　　　　　　８：ＮＣＵ部
９：書込部　　　　　　　　　　１０：読取部
１１：電話機能部
【図１】
2004048425.tif 000003
【図２】
2004048425.tif 000004
【図３】
2004048425.tif 000005
【図４】
2004048425.tif 000006
【図５】
2004048425.tif 000007
【図６】
2004048425.tif 000008
【図７】
2004048425.tif 000009